(57)【要約】【課題】  尿がペットに付着するのを抑制することができる尿取りマットを提供する。【解決手段】  尿を吸収する吸収シート２と、その吸収シート２上に配置され、尿を透過させると共に、犬等のペットが乗ったときペットと吸収シート２との間に間隔を形成する表面シート３と、を備える。表面シート３としては、多数の透水孔を有する基部３１と、その上に立設された柱部３２とからなるカバーシート３０である。表面シート３は撥水性を有していることが好ましい。表面シート３に消臭剤が含有されていることが好ましい。表面シート３に殺菌剤が含有されていることが好ましい。【選択図】        図１
2006000102.tif 000002
【特許請求の範囲】
【請求項１】
尿を吸収する吸収シートと、
その吸収シート上に配置され、尿を透過させると共に、犬等のペットが乗ったときペットと吸収シートとの間に間隔を形成する表面シートと、
を備えたことを特徴とする尿取りマット。
【請求項２】
前記表面シートが、多数の透水孔を有する基部と、その上に立設された多数の柱部とからなることを特徴とする請求項１記載の尿取りマット。
【請求項３】
前記柱部の先端が、Ｒ状に形成されていることを特徴とする請求項２記載の尿取りマット。
【請求項４】
前記表面シートが、撥水性を有していることを特徴とする請求項１〜３のいずれか１項記載の尿取りマット。
【請求項５】
前記表面シートに、消臭剤が含有されていることを特徴とする請求項１〜４のいずれか１項記載の尿取りマット。
【請求項６】
前記表面シートに、抗菌剤が含有されていることを特徴とする請求項１〜５のいずれか１項記載の尿取りマット。
【発明の詳細な説明】
【技術分野】
【０００１】  本発明は、犬等のペットの後ろ足等への尿の付着を抑制する尿取りマットに関するものである。
【背景技術】
【０００２】  近年、犬、猫等のペット（愛玩動物）を室内で飼養するケースが増加している。室内で例えば犬を飼養する場合、排尿を処理するのに吸収シートが用いられている。吸収シートは、尿を透過させることができる不織布や紙等の表面部と、液体を透過させない裏面部と、表面部と裏面部の間に介在され、尿を吸収することができる吸収部とからなる（例えば、特許文献１参照。）。この吸収シートは、例えばペットのトイレの床等に敷かれ、この吸収シート上に犬がきて尿をすると、尿が表面部を透過して吸収部に吸収されるものである。
【特許文献１】特開２００３−０９２９４０号公報
【発明の開示】
【発明が解決しようとする課題】
【０００３】  ところで、犬に吸収シートの上で排尿するようにしつけるが、吸収シートの上で尿をしたとしても後ろ足等に尿がついて、その尿がついたままで室内を歩き回ってしまうことがある。【０００４】  すなわち、吸収シートは、吸収シート上に液体をたらすと、液体が表面部を透過して吸収部に吸収されるように形成されていると共に、表面部が、液体が透過した後の表面がサラサラとなって液体が付着しないように形成されている。しかし、犬が吸収シートの上で排尿するとき、犬は吸収シートに乗るために犬の体重が吸収シートにかかるので、犬が乗っている部分例えば後ろ足の部分の吸収シートが沈む（吸収シートの厚さが薄くなる）。犬が乗っている部分では吸収部にも犬の体重がかかる、すなわち、吸収部が押圧されるために、吸収部に吸収されている尿等が、表面部が逆流防止が施されていても、図３に示すように、吸収シート１００の表面部１０１を透過して表面部１０１上に浮き上がることがある。その結果、犬Ｄの後ろ足が尿１１により濡れることがあり、その尿１１がついたままで犬Ｄが室内を歩き回ってしまうことがある。【０００５】  そこで、本発明は、このような実情に鑑みなされたものであり、その目的は、尿がペットに付着するのを抑制することができる尿取りマットを提供することにある。
【課題を解決するための手段】
【０００６】  前記目的を達成するために、本発明の尿取りマットは、尿を吸収する吸収シートと、その吸収シート上に配置され、尿を透過させると共に、犬等のペットが乗ったときペットと吸収シートとの間に間隔を形成する表面シートと、を備えたことを特徴とする。【０００７】  この発明によれば、尿を吸収する吸収シートとその吸収シート上に配置された表面シートとを備えたので、その表面シートの上で例えば犬が尿をした場合、尿は表面シートを透過して吸収シートに吸収される。このとき、犬が表面シートの上に乗って、吸収シートに吸収されている尿が吸収シート上に浮き上がったとしても、犬と吸収シートとの間には、表面シートがありペットと吸収シートとの間に間隔が形成されているので、尿の犬への付着が抑制されることになる。【０００８】  本発明の尿取りマットにおいて、前記表面シートが、多数の透水孔を有する基部と、その上に立設された多数の柱部とからなることが好ましい。その柱部の先端が、Ｒ状に形成されていることが好ましい。本発明の尿取りマットにおいて、前記表面シートが、撥水性を有していることが好ましい。本発明の尿取りマットにおいて、前記表面シートに、消臭剤が含有されていることが好ましい。本発明の尿取りマットにおいて、前記表面シートに、抗菌剤が含有されていることが好ましい。
【発明の効果】
【０００９】  以上説明したように、本発明の尿取りマットによれば、尿を吸収する吸収シートとその吸収シート上に配置された表面シートとを備えたので、尿がペットに付着するのを抑制することができる。
【発明を実施するための最良の形態】
【００１０】  以下、本発明の尿取りマットを添付図面に基づいて詳述する。
図１は、本発明の尿取りマットを示す図である。この尿取りマットは、図１に示すように、尿を吸収する吸収シート２と、その吸収シート２上に配置され、尿を透過させると共に、犬Ｄ（図３参照）等のペットが乗ったときペットと吸収シート２との間に間隔を形成する表面シート３と、を備えたことを特徴とする。ペットとしては、特に限定されず、犬Ｄ、猫等が挙げられ、本実施の形態では犬Ｄである場合について説明する。【００１１】  吸収シート２は、一般に市販されている犬Ｄ等のペット用の吸収シートを用いることができる。例えば、吸収シート２は、尿１１（図３参照）等の液体を透過させることができる表面部２１と、液体を透過させない裏面部２２と、表面部２１と裏面部２２の間に介在され、尿１１を吸収することができる吸収部とからなる。【００１２】  表面部２１は、尿１１等の液体を透過させることができるものであり、例えば、不織布、織布、開孔プラスチックフィルム、メッシュシート、紙等が用いられる。裏面部２２は、尿１１等の液体を透過させないものであり、紙、ポリエチレン等のビニール製フィルム等が用いられる。【００１３】  表面部２１及び裏面部２２は、同じ形状、例えば矩形状に形成されている。これら表面部２１及び裏面部２２が重ね合わされて、その周縁部が熱加圧等で水密に接合されている。この縁部が接合された表面部２１と裏面部２２との間に吸収部が介在されている。【００１４】  吸収部は、尿１１等の液体を吸収して保持することができる吸収体であり、例えば、パルプ、高分子吸収性ポリマー等の吸水性素材等が用いられる。【００１５】  表面シート３は、尿１１等の液体を透過させると共に、犬Ｄ等のペットが乗ったときペットと吸収シート２との間に空間を形成するもので、吸収シート２上に配置されている。表面シート３は、吸収シート２の表面部２１に例えば粘着材等により固着されてもよいし、また、吸収シート２の表面部２１上に単に乗っている状態でもよい。表面シート３は、吸収シート２の表面部２１上に単に乗っている場合には、その表面部２１に接している部分の摩擦力が大きく形成されていることが好ましい。また、表面シート３と吸収シート２との位置がずれないようにクリップ等の挟持部材等により表面シート３及び吸収シート２を止めるようにしてもよい。【００１６】  表面シート３としては、尿１１等の液体を透過させると共に犬Ｄ等のペットが乗ったときペットと吸収シート３との間に間隔が形成されれば、特に限定されず、例えば、図１及び図２に示すように、カバーシート３０等が挙げられる。【００１７】  カバーシート３０は、多数の透水孔を有する基部３１と、その上に立設された多数の柱部３２とからなるものであり、合成樹脂により一体的に形成されている。合成樹脂としては、例えば、可撓性のある熱可塑性合成樹脂等が挙げられる。熱可塑性合成樹脂としては、例えば、シリコン樹脂、フッ素樹脂、テフロン（登録商標）樹脂、ポリエステル樹脂等が挙げられる。また、合成樹脂には、必要に応じて、各種樹脂添加物、例えば、可塑剤、滑剤、熱安定剤、帯電防止剤、紫外線吸収剤、顔料、染料等が含有されていてもよい。カバーシート３０は、例えば、緑色に着色されていてもよい。【００１８】  カバーシート３０は、吸収シート２と略同じか若干小さな形状、例えば、吸収シート２が矩形状に形成されている場合にはその矩形状と略同じか若干小さな矩形状に形成されている。カバーシート３０の形状は、実質的には基部３１の形状である。基部３１は、カバーシート３０の形状を実質的に決定するものであると共に柱部３２を支持するものである。基部３１の厚さは、特に限定されないが、０．５ｍｍ以上、例えば、０．５ｍｍ〜３．０ｍｍであることが好ましい。この基部３１には、多数の透水孔（図示せず）が貫通して設けられている。【００１９】  透水孔は、尿１１等の液体を透過させるものであり、透過させることができれば、その形状は特に限定されず、矩形、三角形、多角形、円形、楕円形、星形等が挙げられる。透水孔は、基部３１の全体に設けられていることが好ましく、全体に設けられていれば、整列されていてもよいし、不整列であってもよい。【００２０】  柱部３２は、基部３１の表面となる一方の面に多数立設されている。柱部３２は、基部３１の表面に対してほぼ直交する方向に延びて形成され、その形状は特に限定されない。柱部３２は、可撓性に形成されていても、非可撓性に形成されていてもよい。柱部３２の先端は、図２に示すように、Ｒ状に形成されていることが好ましい。このように、柱部３２の先端部がＲ状に形成されていることにより、犬Ｄ等との接触面積が小さくなっていると共に、犬Ｄ等がカバーシート３０上に乗っても（カバーシート３０を踏んでも）痛くないようになっている。【００２１】  また、カバーシート３０（表面シート３）は、撥水性を有していることが好ましい。すなわち、カバーシート３０は、撥水性樹脂により形成されているか、カバーシート３０の表面に撥水性樹脂の層が形成されていることが好ましい。撥水性樹脂としては、シリコン樹脂、フッ素樹脂、テフロン（登録商標）樹脂、ポリエステル樹脂等が挙げられる。カバーシート３０の製造方法としては、一般に人工芝を製造する方法等が適用でき、例えば、それらの樹脂を押出成形してカバーシートを製造することができる。このように、カバーシート３０（表面シート３）が撥水性を有していることにより、確実にしかもカバーシート３０（表面シート３）に尿１１が付着することなく、尿１１を吸収シート２に導く（透過する）ことができる。【００２２】  また、カバーシート３０は、消臭剤が含有されていることが好ましい。消臭剤は、尿に含まれるアンモニア等の悪臭成分を例えば酸化還元作用、マスキング作用や中和作用等で分解するものである。消臭剤としては、ペット用に用いられている消臭剤であれば特に限定されず、例えば、活性炭等が挙げられる。また、カバーシート３０は、抗菌剤が含有されていることが好ましい。抗菌剤としては、ペット用に用いられている抗菌剤であれば特に限定されないが、植物から得られる芳香油等の抗菌剤等が挙げられる。また、カバーシート３０には、キトサン、竹酢液、木酢液、ヒノキチオール（β−ツヤプリシン）等の消臭性及び抗菌性を備えたものが含有されていてもよい。また、カバーシート３０は、芳香剤が含有されていてもよい。芳香剤としては、特に限定されず、例えば、ミント、ラベンダー、オレンジ等が挙げら���る。また、また、カバーシート３０は、殺菌剤が含有されていてもよい。殺菌剤としては、ペット用に用いられている殺菌剤等が挙げられる。【００２３】  次に、本発明の尿取りマットの作用を説明する。
ペット用トイレの床等に本発明の尿取りマットを敷く。すなわち、例えば、ペット用トイレの床に、市販されている吸収シート２をまず敷き、この吸収シート２の上に表面シート３であるカバーシート３０を敷く。このカバーシート３０上に犬Ｄがきて尿１１をすると、尿１１はカバーシート３０の多数の透水孔を透過して吸収シート２に至りそこで吸収される。このとき、犬Ｄは吸収シート２上に乗っている、すなわち、犬Ｄの体重が吸収シート２に掛っているために、吸収シート２に吸収されている尿１１が吸収シート２上に浮き上がったとしても、犬Ｄと吸収シート２との間には、カバーシート３０が存在する（間隔が形成されている）ので、尿１１が犬Ｄに付着することが抑制される。【００２４】  したがって、本発明の尿取りマット１は、尿１１を吸収する吸収シート２とその吸収シート２上に配置されたカバーシート３０（表面シート３）とを備えたので、尿１１が犬Ｄ等のペットに付着するのを抑制することができる。【００２５】  例えば、犬Ｄが尿１１する回数が１日６回だとすると、吸収シートだけの場合には、犬Ｄの種類によって異なるが、犬Ｄが３、４回尿１１をすると尿１１が犬Ｄにつくことがあるために、２、３回尿１１をしたら吸収シートを交換するので、吸収シートが２、３枚必要になる。これに対して、本発明の尿取りマット１では、厚さが１ｍｍ程度の基部３１を有するカバーシート３０を用いた場合には、６回尿１１をしても犬Ｄに尿１１が付着することが抑制され、１枚の吸収シート２で十分に対応することができた。よって、吸収シート２の枚数を減らすことができ、経済的である。【００２６】  また、吸収シートに直接犬Ｄが尿をすると、例え、尿が吸収シートの内部の吸収部に吸収されたとしても、吸収シートの表面部が尿により変色することがあり、特に犬Ｄを飼っていない人には見た目がよくなかったが、本発明の尿取りマット１では、吸収シート２の上にカバーシート３０が設けられているので、例えば、カバーシート３０の外観が人工芝に形成されていると、外観が良好なものとなる。【００２７】  カバーシート３０（表面シート３）に消臭剤が含有されていると、尿１１による臭気を緩和することができる。すなわち、その臭気の放散による不快感を緩和することができる。また、消臭剤に殺菌剤（抗菌剤を含む）が含まれていると、汚物が排泄されたときには、汚物と共に排泄された大腸菌などの病原菌の繁殖を抑制することができる。
【図面の簡単な説明】
【００２８】
【図１】  本発明の尿取りマットの一例を示す分解斜視図である。
【図２】  図１中のＡ部の拡大図である。
【図３】  吸収シートに犬が乗った状態を示す斜視図である。
【符号の説明】
【００２９】  １  尿取りマット
２  吸収シート
３  表面シート
１１  尿
３０  カバーシート
３１  基部
３２  柱部
Ｄ  犬
【図１】
2006000102.tif 000003
【図２】
2006000102.tif 000004
【図３】
2006000102.tif 000005